(57)【要約】【課題】ディジタル万引きなどを考慮したアクセス制御が可能な情報提供システム、情報提供装置、および情報提供方法を提供する。【解決手段】情報端末装置（１３０）は、コンテンツ識別子がコード化されたコード（１１０）を入力するコード入力部（１３４ｂ）と、コードからコンテンツ識別子をデコードするコードデコード部（１３４ａ）と、情報端末装置の位置情報を記憶して管理する位置情報管理部（１３３）と、デコードされたコンテンツ識別子および位置情報を含むコンテンツ要求を送信するコンテンツ要求送信部（１３１）とを備え、コンテンツを提供する情報提供装置（１４０）は、受信したコンテンツ要求に含まれた位置情報により、コンテンツの提供可否を判定する位置情報判定部（１４２ａ）と、コンテンツを提供可能と判定された場合に、コンテンツ管理部（１４３）に記憶されたコンテンツを送信するコンテンツ送信部（１４１）とを備える。【選択図】図１
2007140929.tif 000002
【特許請求の範囲】
【請求項１】
情報端末装置と、該情報端末装置に対してコンテンツを提供する情報提供装置とを備えた情報提供システムであって、
前記情報端末装置は、
前記コンテンツのコンテンツ識別子がコード化されたコードを入力するコード入力手段と、
入力された前記コードから前記コンテンツ識別子をデコードするコードデコード手段と、
前記情報端末装置の位置情報を記憶して管理する位置情報管理手段と、
デコードされた前記コンテンツ識別子および前記位置情報を含むコンテンツ要求を送信するコンテンツ要求送信手段と、
前記情報提供装置からコンテンツを受信するコンテンツ受信手段と、
受信したコンテンツを出力するコンテンツ出力手段と
を備え、
前記情報提供装置は、
前記コンテンツを記憶して管理するコンテンツ管理手段と、
前記コンテンツ要求を受信するコンテンツ要求受信手段と、
前記コンテンツ要求に含まれた前記位置情報により、前記コンテンツの提供可否を判定する位置情報判定手段と、
前記位置情報判定手段により前記コンテンツを提供可能と判定された場合に、前記コンテンツ管理手段に記憶されたコンテンツを送信するコンテンツ送信手段と
を備えたことを特徴とする情報提供システム。
【請求項２】
前記位置情報は、前記コンテンツの提供可否を示すフラグを含み、
前記位置情報判定手段は、前記フラグにより前記コンテンツの提供可否を判定することを特徴とする請求項１に記載の情報提供システム。
【請求項３】
前記位置情報は、緯度および経度を含み、
前記位置情報判定手段は、
前記緯度および経度を含むエリアに位置する情報端末装置に対する前記コンテンツの提供可否を判定するためのテーブルを備え、該テーブルを参照することにより前記コンテンツの提供可否を判定することを特徴とする請求項１に記載の情報提供システム。
【請求項４】
前記位置情報は、場所属性を含み、
前記位置情報判定手段は、
前記場所属性に対応する場所に位置する情報端末装置に対する前記コンテンツの提供可否を判定するためのテーブルを備え、該テーブルを参照することにより前記コンテンツの提供可否を判定することを特徴とする請求項１に記載の情報提供システム。
【請求項５】
情報提供装置に記憶されたコンテンツを情報端末装置へ提供する情報提供方法であって、
前記情報端末装置において、
前記情報端末装置の位置情報を記憶するステップと、
前記コンテンツのコンテンツ識別子がコード化されたコードを入力するステップと、
入力された前記コードから前記コンテンツ識別子をデコードするステップと、
デコードされた前記コンテンツ識別子および前記位置情報を含むコンテンツ要求を送信するステップと、
前記情報提供装置において、
前記コンテンツ要求を受信するステップと、
前記コンテンツ要求に含まれた前記位置情報により、前記コンテンツの提供可否を判定するステップと、
前記位置情報判定手段により前記コンテンツを提供可能と判定された場合に、前記コンテンツ管理手段に記憶されたコンテンツを送信するステップと
前記情報端末装置において、
前記情報提供装置からコンテンツを受信するステップと、
受信したコンテンツを出力するステップと
を備えたことを特徴とする情報提供システム。
【請求項６】
情報端末装置に対してコンテンツを提供する情報提供装置であって、
前記コンテンツを記憶して管理するコンテンツ管理手段と、
前記コンテンツを識別する前記コンテンツ識別子および前記情報端末装置の位置情報を含むコンテンツ要求を受信するコンテンツ要求受信手段と、
前記コンテンツ要求に含まれた前記位置情報により、前記コンテンツの提供可否を判定する位置情報判定手段と、
前記位置情報判定手段により前記コンテンツを提供可能と判定された場合に、前記コンテンツ管理手段に記憶されたコンテンツを送信するコンテンツ送信手段と
を備えたことを特徴とする情報提供装置。
【発明の詳細な説明】
【技術分野】
【０００１】
本発明は、情報提供システム、情報提供装置、および情報提供方法に関し、より詳細には情報が提供される情報端末装置の位置に基づいて情報提供の是非を判定できる情報提供システム、情報提供装置、および情報提供方法に関する。
【背景技術】
【０００２】
従来、多数のＷｅｂページ等のコンテンツに対するアクセスを制御する技術が発明されている。特に位置情報に着目したものとして、経時的に変化するコンテンツに対するアクセス制御を、その変化の特性に応じて行う方法およびシステムが提案されている（例えば、特許文献１参照）。アクセス制御の対象であるコンテンツは、ユーザの位置情報など、経時時に変化するコンテンツである。
【０００３】
また、Ｗｅｂページ等のコンテンツに対するアクセスを容易にする技術として近年２次元バーコードが普及しつつあり、２次元バーコードにＷｅｂページのＵＲＬと連絡先電話番号を埋め込む技術が提案されている（例えば、特許文献２参照）。
【０００４】
また、ユーザが２次元バーコードを利用してコンテンツにアクセスし、サーバにおいてアクセス制御を行う技術として、２次元バーコードに埋め込まれたサプライ側パブリック情報と、２次元バーコードを読み取るユーザ機器にあらかじめ入力された個人情報とを統合してサーバに送信し、個人認証等を行った後に電子商取引を行うシステムが提案されている（特許文献３参照）。
【０００５】
【特許文献１】特開２００５−１３５１８９号公報（第００１０〜００１２段落）
【特許文献２】特開２００５−１４８７７６号公報（第０００７〜０００８段落）
【特許文献３】特開２００４−１６４６６５号公報（第０００８段落）
【発明の開示】
【発明が解決しようとする課題】
【０００６】
コンテンツに対するアクセスを容易にする技術として２次元バーコード等が広く使われている。このような２次元バーコード等は、一般に書籍やチラシ、ポスター等に印刷されている（特許文献２参照）。特に書籍の場合、ユーザは本来なら書籍を購入して情報を取得するのだが、書籍を購入せず書店の中で書籍に印刷された２次元バーコードを読み取ることで簡単にコンテンツを手に入れることが可能である。これは近年、ディジタル万引きと呼ばれ、解決すべき問題として注目を集めている。
【０００７】
特許文献３は２次元バーコードによるコンテンツアクセスを想定したシステムでアクセス制御を行うものではあるが、アクセス制御自体は従来の個人情報に基づくものであり、ユーザの現在の状態を考慮していない。
【０００８】
また、特許文献１の発明はユーザの位置情報に着目したアクセス制御を実現する手段ではあるが、この場合位置情報がアクセス対象のコンテンツ自身であり、アクセスするユーザの状態に着目していない。
【０００９】
本発明は、このような問題に鑑みてなされたもので、その目的とするところは、位置情報に基づいて情報提供の是非を判定することで、ディジタル万引きなどを考慮したアクセス制御が可能な情報提供システム、情報提供装置、および情報提供方法を提供することにある。
【課題を解決するための手段】
【００１０】
本発明は、このような目的を達成するために、請求項１に記載の発明は、情報端末装置と、該情報端末装置に対してコンテンツを提供する情報提供装置とを備えた情報提供システムであって、前記情報端末装置は、前記コンテンツのコンテンツ識別子がコード化されたコードを入力するコード入力手段と、入力された前記コードから前記コンテンツ識別子をデコードするコードデコード手段と、前記情報端末装置の位置情報を記憶して管理する位置情報管理手段と、デコードされた前記コンテンツ識別子および前記位置情報を含むコンテンツ要求を送信するコンテンツ要求送信手段と、前記情報提供装置からコンテンツを受信するコンテンツ受信手段と、受信したコンテンツを出力するコンテンツ出力手段とを備え、前記情報提供装置は、前記コンテンツを記憶して管理するコンテンツ管理手段と、前記コンテンツ要求を受信するコンテンツ要求受信手段と、前記コンテンツ要求に含まれた前記位置情報により、前記コンテンツの提供可否を判定する位置情報判定手段と、前記位置情報判定手段により前記コンテンツを提供可能と判定された場合に、前記コンテンツ管理手段に記憶されたコンテンツを送信するコンテンツ送信手段とを備えたことを特徴とする。
【００１１】
請求項２に記載の発明は、請求項１に記載の位置情報は、前記コンテンツの提供可否を示すフラグを含み、前記位置情報判定手段は、前記フラグにより前記コンテンツの提供可否を判定することを特徴とする特徴とする。
【００１２】
請求項３に記載の発明は、請求項１に記載の位置情報は、緯度および経度を含み、前記位置情報判定手段は、前記緯度および経度を含むエリアに位置する情報端末装置に対する前記コンテンツの提供可否を判定するためのテーブルを備え、該テーブルを参照することにより前記コンテンツの提供可否を判定することを特徴とする特徴とする。
【００１３】
請求項４に記載の発明は、請求項１に記載の位置情報は、場所属性を含み、前記位置情報判定手段は、前記場所属性に対応する場所に位置する情報端末装置に対する前記コンテンツの提供可否を判定するためのテーブルを備え、該テーブルを参照することにより前記コンテンツの提供可否を判定することを特徴とする特徴とする。
【００１４】
請求項５に記載の発明は、情報提供装置に記憶されたコンテンツを情報端末装置へ提供する情報提供方法であって、前記情報端末装置において、前記情報端末装置の位置情報を記憶するステップと、前記コンテンツのコンテンツ識別子がコード化されたコードを入力するステップと、入力された前記コードから前記コンテンツ識別子をデコードするステップと、デコードされた前記コンテンツ識別子および前記位置情報を含むコンテンツ要求を送信するステップと、前記情報提供装置において、前記コンテンツ要求を受信するステップと、前記コンテンツ要求に含まれた前記位置情報により、前記コンテンツの提供可否を判定するステップと、前記位置情報判定手段により前記コンテンツを提供可能と判定された場合に、前記コンテンツ管理手段に記憶されたコンテンツを送信するステップと前記情報端末装置において、前記情報提供装置からコンテンツを受信するステップと、受信したコンテンツを出力するステップとを備えたことを特徴とする
請求項６に記載の発明は、情報端末装置に対してコンテンツを提供する情報提供装置であって、前記コンテンツを記憶して管理するコンテンツ管理手段と、前記コンテンツを識別する前記コンテンツ識別子および前記情報端末装置の位置情報を含むコンテンツ要求を受信するコンテンツ要求受信手段と、前記コンテンツ要求に含まれた前記位置情報により、前記コンテンツの提供可否を判定する位置情報判定手段と、前記位置情報判定手段により前記コンテンツを提供可能と判定された場合に、前記コンテンツ管理手段に記憶されたコンテンツを送信するコンテンツ送信手段とを備えたことを特徴とする。
【発明の効果】
【００１５】
本発明によれば、位置情報に基づいて情報提供の是非を判定することで、ディジタル万引きなどを考慮したアクセス制御が可能な情報提供システム、情報提供装置、および情報提供方法を提供することができる。
【発明を実施するための最良の形態】
【００１６】
本発明にかかる情報提供システムの実施形態について図面を参照して説明する。類似の構成要素には類似の符号を用いて説明する。
【００１７】
［実施形態１］
まず、本実施形態の情報提供システムの構成について説明する。図１は、本実施形態にかかる情報提供システムの構成図である。
【００１８】
本実施形態にかかる情報提供システム１００は、２次元バーコード１１０と、無線基地局１２０と、情報端末装置１３０と、情報提供装置１４０とで構成される。
【００１９】
無線基地局１２０は、位置ビーコン生成部１２１と、通信部１２２とを備える。
【００２０】
情報端末装置１３０は、通信部１３１と、コンテンツ入出力部１３２と、位置情報管理部１３３と、コンテンツ識別子入力部１３４とを備える。
【００２１】
また、コンテンツ識別子入力部１３４は、２次元バーコードデコード部１３４ａと、２次元バーコード入力部１３４ｂとを備える。
【００２２】
情報提供装置１４０は、通信部１４１と、コンテンツ提供判定部１４２と、コンテンツ管理部１４３とを備える。
【００２３】
また、コンテンツ提供判定部１４２は、位置情報判定部１４２ａを備える。
【００２４】
また、コンテンツ管理部１４３は、コンテンツデータベース１４３ａを備える。
【００２５】
以下、各構成要素について詳細に説明する。  
２次元バーコード１１０は、例えば、ＵＲＬやアドレスなど、提供されるコンテンツへアクセスするための情報（以下、コンテンツ識別子ともいう。）をコード化したものであって、書籍、チラシ、またはポスター等に印刷されている。また、本明細書においては、２次元バーコードは２次元コード、ＱＲコード（Quick Response code）などを含むものとする。本実施形態によれば、書籍に印刷された２次元バーコードにコード化されたコンテンツ識別子に対応するコンテンツのディジタル万引きを防止することができる。
【００２６】
位置ビーコン生成部１２１は、無線基地局１２０が設置された場所の特性（以下、本明細書において位置情報ともいう。）を表す位置ビーコンを生成し、通信部１２２に対して出力する。本実施形態では、位置ビーコン生成部１２１は、位置情報の最も簡単な例として、書籍に印刷された２次元バーコードにコード化されたコンテンツ識別子を用いてコンテンツにアクセス可能な場所かどうかを示すフラグを含む位置ビーコンとして生成する。例えば、書店内に設置された無線基地局ではディジタル万引きを防止するためにフラグを立てる。
【００２７】
通信部１２２は、かかる位置ビーコンを定期的にブロードキャストする。
【００２８】
情報端末装置１３０において、２次元バーコード入力部１３４ｂは２次元バーコード１１０を読み取る。例えば、２次元バーコード入力部１３４ｂは、バーコードリーダやカメラとすることができ、これらを用いて２次元バーコード１１０を撮影することができる。
【００２９】
２次元バーコードデコード部１３４ａは、２次元バーコード入力部１３４ｂが読み取った２次元バーコード１１０をデコードし、情報提供装置１４０に対して要求するコンテンツの識別子（すなわち、コンテンツ識別子）を導出する。
【００３０】
コンテンツ識別子入力部１３４は、２次元バーコードデコード部１３４ａが導出したコンテンツ識別子を通信部１３１に対して出力する。
【００３１】
位置情報管理部１３３は、無線基地局１２０から受け取った位置ビーコンに含まれる位置情報を一時的に保存する。これにより、位置情報は、情報端末の場所の特性を示す情報として利用することができる。
【００３２】
また、位置情報管理部１３３は、通信部１３１から位置情報の要求を受け取ると、通信部１３１に対して位置情報を出力する。
【００３３】
通信部１３１は、無線基地局１２０から位置ビーコンを受け取ると位置情報管理部１３３に対して出力する。
【００３４】
また、通信部１３１は、コンテンツ識別子入力部１３４からコンテンツ識別子を受け取ると、位置情報管理部１３３に対して位置情報を要求する。
【００３５】
さらに、通信部１３１は、位置情報管理部１３３から位置情報を受け取ると、先にコンテンツ識別子入力部１３４から受け取ったコンテンツ識別子とともに、コンテンツ要求を構成して情報提供装置１４０に対して送信する。
【００３６】
さらにまた、通信部１３１は、情報提供装置１４０からコンテンツを受信すると、コンテンツ入出力部１３２に対してコンテンツを出力する。
【００３７】
コンテンツ入出力部１３２は、通信部１３１からかかるコンテンツを受け取ると、ユーザに対してコンテンツを提示する。
【００３８】
情報提供装置１４０において、通信部１４１は、情報端末装置１３０からコンテンツ要求を受信すると、コンテンツ提供判定部１４２に対して出力する。
【００３９】
また、通信部１４１は、コンテンツ提供判定部１４２からコンテンツを受け取ると、情報端末装置１３０に対してコンテンツを送信する。
【００４０】
位置情報判定部１４２ａは、通信部１１１からコンテンツ要求を受け取ると、コンテンツ要求に含まれる情報端末装置の位置情報を調べ、コンテンツを開示すべきかどうかを判定する。本実施形態では、位置情報としてのフラグが立てられている場合は、位置情報判定部１４２ａは、書籍に印刷された２次元バーコードにコード化されたコンテンツ識別子を用いてコンテンツにアクセスできない場所であると判定することができる。
【００４１】
コンテンツ提供判定部１４２は、位置情報判定部１４２ａがコンテンツを開示してもよいと判定した場合、コンテンツ管理部１４３に対してコンテンツ取得要求を出力する。
【００４２】
また、コンテンツ提供判定部１４２は、コンテンツ管理部１４３からコンテンツを受け取ると、通信部１４１に対して出力する。
【００４３】
コンテンツ管理部１４３は、コンテンツ提供判定部１４２からコンテンツ取得要求を受け取ると、コンテンツデータベース１４３ａに蓄積されたコンテンツ群から指定のコンテンツを検索し、取り出してコンテンツ提供判定部１４２に対して出力する。
【００４４】
続いて、本実施形態にかかる情報提供システム１００の動作について説明する。
【００４５】
まず、図２を参照して、位置情報管理部１３２において位置情報を更新する動作を説明する。位置ビーコン生成部１２１は、無線基地局１２０が設置された場所の特性を示す位置ビーコンを生成する。前記の通り、本実施形態では、無線基地局１２０が設置された場所が、２次元バーコードに関連づけられたコンテンツに対するアクセスが可能な場所か否かを示すフラグ（すなわち、位置情報）を生成する。さらに位置ビーコン生成部１２１は通信部１２２に対して生成した位置情報を含む位置ビーコンを出力する（Ｓ２０１）。
【００４６】
通信部１２２はかかる位置ビーコンを受け取ると、定期的に位置ビーコンをブロードキャストする（Ｓ２０２）。
【００４７】
情報端末装置１３０がかかる無線基地局１２０の無線通信範囲に存在するとき、通信部１３１はブロードキャストされた位置ビーコンを受信する。通信部１３１は受信した位置ビーコンを位置情報管理部１３２に対して位置情報として出力する（Ｓ２０３）。
【００４８】
位置情報管理部１３２は、通信部１３１が出力したかかる位置情報に基づいて、保存された位置情報を更新する（Ｓ２０４）。
【００４９】
次に、図３を参照して、情報端末装置１３０がコンテンツを取得する動作を説明する。２次元バーコード入力手段１３４ｂは２次元バーコード１１０を読み取る（Ｓ３０１）。
【００５０】
２次元バーコードデコード手段１３４ａは２次元バーコード入力手段１３４ｂが読み取った２次元バーコード１１０をデコードし、コンテンツ識別子を取得する（Ｓ３０２）。
【００５１】
２次元バーコードデコード手段１３４ａは取得したコンテンツ識別子を通信部１３１に対して出力する（Ｓ３０３）。
【００５２】
通信部１３１は、かかるコンテンツ識別子を受け取ると、位置情報管理部１３３に対して位置情報を要求する（Ｓ３０４）。
【００５３】
位置情報管理部１３３は、通信部１３１から位置情報に対する要求を受け取ると、最新の位置情報を通信部１３１に対して出力する（Ｓ３０５）。
【００５４】
通信部１３１は位置情報管理部１３３から位置情報を受け取ると、コンテンツ識別子と位置情報を含むコンテンツ要求を情報提供装置１４０に対して送信する（Ｓ３０６）。
【００５５】
情報提供装置１４０においては、通信部１４１が情報端末装置１３０から送信されたコンテンツ識別子と位置情報を受信する（Ｓ３０６）。
【００５６】
通信部１４１はコンテンツ識別子と位置情報を含むコンテンツ要求を受信すると、コンテンツ提供判定部１４２に対して出力する（Ｓ３０７）。
【００５７】
コンテンツ提供判定部１４２は、コンテンツ要求を受信すると、コンテンツ要求に含まれる位置情報（フラグ）をチェックし、情報端末装置１３０がコンテンツを提供してもよい場所にいるか否かを判定する（Ｓ３０８）。
【００５８】
情報端末装置１３０がコンテンツを提供してもよい場所にいると判断した場合、コンテンツ提供判定部１４２はコンテンツ管理部１４３に対してコンテンツ識別子に基づいてコンテンツ要求を出力する（Ｓ３１０）。
【００５９】
コンテンツ管理部１４３は、コンテンツ要求を受け取ると、コンテンツデータベースから指定されたコンテンツを取り出し（Ｓ３１１）、コンテンツ提供判定部１４２に対して出力する（Ｓ３１２）。
【００６０】
コンテンツ提供判定部１４２はコンテンツを受け取ると、通信部１４１に対してコンテンツを出力する（Ｓ３１３）。
【００６１】
通信部１４１はコンテンツを受け取ると、情報端末装置１３０に対してコンテンツを送信する（Ｓ３１４）。
【００６２】
情報端末装置１３０では通信部１３１が、情報提供装置１４０が送信したコンテンツを受信する（Ｓ３１４）。通信部１３１は、受信したコンテンツをコンテンツ入出力手段１３２に対して出力する（Ｓ３１５）。
【００６３】
コンテンツ入出力手段１３２はコンテンツを受け取ると、受け取ったコンテンツをユーザに対して提示する（Ｓ３１６）。
【００６４】
［実施形態２］
実施形態１では、位置ビーコンが、コンテンツへアクセス可能か否かのフラグを含む場合の例を示したが、位置ビーコンが、位置を示す緯度および経度を含む場合や、「書店」などの一般名称や「ＡＡＡビル」などの固有名称によって示される場所属性を含むように構成することもできる。すなわち、位置情報が、緯度および経度、あるいは場所属性で表されるようにすることもできる。
【００６５】
このような場合、図１の位置情報判定部１４２ａは、図４〜６にそれぞれ示すようなテーブルをさらに備え、位置情報判定部はこのテーブルを参照して、位置情報によって示される場所がコンテンツに対してアクセス可能な場所か否かを判定するように構成することができる。
【００６６】
図４は、位置ビーコンが位置を示す緯度および経度を含む場合に、位置情報によって示される場所がコンテンツに対してアクセス可能な場所か否かを判定するためのテーブルの例を示す。２組の緯度および経度によって定められたエリアに位置する情報端末装置に対するアクセスの可否が設定されている。例えば、位置情報が示す場所が、緯度が35.39.47.34から35.39.56.52であって、経度が139.44.41.24から139.44.35.37までのエリアに含まれる場合には、コンテンツに対するアクセスが拒否される。
【００６７】
図５は、位置ビーコンが場所属性を含む場合に、位置情報によって示された場所属性に対応する場所に位置する情報端末装置がコンテンツに対してアクセス可能な場所か否かを判定するためのテーブルの例を示す。例えば、場所属性が書店である場合には、コンテンツに対するアクセスが拒否される。
【００６８】
図６は、位置ビーコンが位置を示す緯度および経度を含む場合に、当該緯度および経度に対応する場所属性を決定するためのテーブルの例を示す。したがって、図６に示すテーブルは、図５のテーブルと共に用いられる。これにより、図６を参照して決定された場所属性対応する場所がコンテンツに対してアクセス可能な場所か否かを判定するために、図５のテーブルがさらに参照される。例えば、位置情報によって示された場所が、緯度が35.39.47.34から35.39.56.52であって、経度が139.44.41.24から139.44.35.37までのエリアに含まれる場合には、位置情報によって示された場所は図６のテーブルの参照の結果として「ＡＡＡビル」の場所属性を有すると決定され、さらに図５のテーブルの参照の結果としてコンテンツに対するアクセスが拒否される。
【００６９】
［その他の実施形態］
尚、本実施形態の情報端末装置には、例えば、携帯電話、無線ＬＡＮ対応携帯端末、携帯情報端末（ＰＤＡ：Personal Digital Assistance）、ノート型パーソナルコンピュータ、バーコードリーダ、無線タグリーダーなどが含まれる。
【００７０】
また、本実施形態の無線基地局は、ビーコンを出す機能があればいずれのタイプのものでも良く、例えば、衛星局、セル等システムの基地局、無線ＬＡＮのアクセスポイント、無線タグなどが含まれる。
【００７１】
さらに、本実施形態の２次元バーコードの代替は、コンテンツへアクセスするための情報がコード化、イメージ化、パターン化、あるいは図形化されたものであればいずれのタイプのものでも良く、例えば、１次元コード、多次元コードなどを含む。換言すれば、本実施形態の２次元バーコードの代替は、コンテンツ識別子入力部１３４で撮影、スキャン、読み取り、あるいはキャプチャされ、そこに含まれたコンテンツへアクセスするための情報がデコードされることができるものを含む。したがって、２次元バーコードの代替は、印刷されたテキストも含む。この場合、コンテンツ識別子入力部１３４は、印刷されたテキストをキャプチャして、２次元バーコードデコード部は、当該テキストを対応するアスキーコードに変換するように構成される。
【００７２】
また、本実施形態では情報提供装置の機能が全て一つの装置上に実現されていたが、これらの機能が複数の情報提供装置群に分散されていることも考えられる。
【００７３】
以上により本実施形態では、位置情報に基づいて２次元バーコードに関連付けられた情報に対するアクセス制御が可能となり、ディジタル万引き等を防止することができる。
【図面の簡単な説明】
【００７４】
【図１】本発明にかかる情報提供システムの一実施形態の構成図である。
【図２】位置情報管理部１３２において位置情報を更新する動作を説明するためのフローチャートである。
【図３】情報端末装置１３０がコンテンツを取得する動作を説明するためのフローチャートである。
【図４】場所特性ビーコンが位置を示す緯度および経度を含む場合に、位置情報によって示される場所がコンテンツに対してアクセス可能な場所か否かを判定するためのテーブルの例を示す図である。
【図５】場所特性ビーコンが場所属性を含む場合に、位置情報によって示された場所属性に対応する場所がコンテンツに対してアクセス可能な場所か否かを判定するためのテーブルの例を示す図である。
【図６】場所特性ビーコンが位置を示す緯度および経度を含む場合に、当該緯度および経度に対応する場所属性を決定するためのテーブルの例を示す図である。
【符号の説明】
【００７５】
１００  情報提供システム
１１０  ２次元バーコード
１２０  無線基地局
１２１  場所特性ビーコン生成部
１２２  通信部
１３０  情報端末装置
１３１  通信部
１３２  コンテンツ入出力部
１３３  位置情報管理部
１３４  コンテンツ識別子入力部
１３４ａ  ２次元バーコードデコード部
１３４ｂ  ２次元バーコード入力部
１４０  情報提供装置
１４１  通信部
１４２  コンテンツ提供判定部
１４２ａ  位置情報判定部
１４３  コンテンツ管理部
１４３ａ  コンテンツデータベース
【図１】
2007140929.tif 000003
【図２】
2007140929.tif 000004
【図３】
2007140929.tif 000005
【図４】
2007140929.tif 000006
【図５】
2007140929.tif 000007
【図６】
2007140929.tif 000008